(57)【要約】【課題】  電気部品の交換時の作業性が良く、電気部品の故障診断等のサービス性が良い給湯機の室外ユニットを提供することを目的とする。【解決手段】  この発明に係る給湯機の室外ユニットは、圧縮機等で構成される冷媒回路と、この冷媒回路の冷媒と熱交換して温水を生成する水回路と、電気部品を収納する電気品箱２と、この電気品箱に設けられ、冷媒回路の制御を行う冷媒回路制御基板と、電気品箱に設けられ、水回路の制御を行う水回路制御基板とを備え、冷媒回路制御基板と、水回路制御基板とを上下に配置し、下側に位置するものを引出自在に構成したことを特徴とする。【選択図】        図６
2007093118.tif 000002
【特許請求の範囲】
【請求項１】
圧縮機等で構成される冷媒回路と、
この冷媒回路の冷媒と熱交換して温水を生成する水回路と、
電気部品を収納する電気品箱と、
この電気品箱に設けられ、前記冷媒回路の制御を行う冷媒回路制御基板と、
前記電気品箱に設けられ、前記水回路の制御を行う水回路制御基板とを備え、前記冷媒回路制御基板と、前記水回路制御基板とを上下に配置し、下側に位置するものを引出自在に構成したことを特徴とする給湯機の室外ユニット。
【請求項２】
前記冷媒回路制御基板を前記電気品箱の電気品箱本体に収納し、前記水回路制御基板を前記電気品箱本体の底部裏面に配置したことを特徴とする請求項１記載の給湯機の室外ユニット。
【請求項３】
前記水回路制御基板を引出自在とする基板レールを前記電気品箱本体の底部裏面に設けたことを特徴とする請求項２記載の給湯機の室外ユニット。
【請求項４】
前記冷媒回路の冷媒に、二酸化炭素を使用することを特徴とする請求項１乃至３いずれかに記載の給湯機の室外ユニット。
【発明の詳細な説明】
【技術分野】
【０００１】
この発明は、給湯機の室外ユニットの電気品箱の構成に関するものである。
【背景技術】
【０００２】
従来の室外ユニットは、電気品箱に複数の基板を設ける場合、下側の基板に上側の基板の取り付け足を設置し重ねることで複数枚の基板を収納していた（例えば、特許文献１参照）。
【特許文献１】特開平６−１２３４４９号公報
【発明の開示】
【発明が解決しようとする課題】
【０００３】
従来の室外ユニットの電気品箱は、下側の基板に上側の基板の取り付け足を設ける構成なので、基板の交換時に全ての基板は一旦外さなければならずサービス性が悪い等の課題があった。
【０００４】
この発明は、上記のような課題を解決するためになされたもので、電気部品の交換時の作業性が良く、電気部品の故障診断等のサービス性が良い給湯機の室外ユニットを提供することを目的とする。
【課題を解決するための手段】
【０００５】
この発明に係る給湯機の室外ユニットは、圧縮機等で構成される冷媒回路と、この冷媒回路の冷媒と熱交換して温水を生成する水回路と、電気部品を収納する電気品箱と、この電気品箱に設けられ、冷媒回路の制御を行う冷媒回路制御基板と、電気品箱に設けられ、水回路の制御を行う水回路制御基板とを備え、冷媒回路制御基板と、水回路制御基板とを上下に配置し、下側に位置するものを引出自在に構成したことを特徴とする。
【発明の効果】
【０００６】
この発明に係る給湯機の室外ユニットは、上記構成により、上側の基板は上からサービスし、下側の基板は引出してサービスするので、上下の基板を独立して交換等ができ基板のサービス性が良い。
【発明を実施するための最良の形態】
【０００７】
実施の形態１．
図１乃至８は実施の形態１を示す図で、図１は給湯機の室外ユニットの内部正面図、図２は給湯機の室外ユニットの分解斜視図、図３は冷媒及び水回路図、図４は電気品箱の正面図、図５は電気品箱の部品展開図、図６は水回路制御基板ホルダーを引出した状態の電気品箱の斜視図、図７は水回路制御基板ホルダーと基板レールを示す斜視図、図８はフロン系冷媒と自然冷媒の特性を比較した図である。
【０００８】
給湯機の室外ユニット１は、図１、２に示す構成であり、圧縮機４よりも下にガスクーラ３が配置されている。圧縮機４の横には仕切りを介して送風機６があり、送風機６を囲む蒸発器５を冷却する。ガスクーラ３の横には、水循環ポンプ１５が置かれる。圧縮機４の上に、電気部品を収納する電気品箱２が配置されている。
【０００９】
図３に示すように、冷媒回路１４は、冷媒を圧縮する圧縮機４、ガスクーラ３、絞り１３、蒸発器５を順次接続して構成される。冷媒回路１４の冷媒には、臨界温度の低いＣＯ２（二酸化炭素）冷媒（臨界温度は３１℃）を使用している。図８に示すように、ＣＯ２冷媒はフロン系冷媒よりも地球温暖化係数（ＧＷＰ）、オゾン層破壊係数（ＯＤＰ）が小さい。このようなＣＯ２を冷媒として使用するので、効率良く高温（９０℃以上）沸き上げが可能となると同時に、地球温暖化防止に貢献できる効果がある。ガスクーラ３は、圧縮機４より吐出された高圧のガス冷媒と給湯用水とを熱交換する。
【００１０】
水回路１６は、水循環ポンプ１５、ガスクーラ３、空気抜き回路１７を備え、これに図示しない貯湯タンクが接続される。
【００１１】
図４に示すように、電気部品を収納する電気品箱２は、電気品箱本体７に冷媒回路制御基板ホルダー８が設けられている。電気品箱本体７の底部裏面には、基板レール（左）１０と基板レール（右）１１が取り付けられていて、ここに水回路制御基板ホルダー９が前面から挿入される。但し、前面以外の、側面、背面から挿入するようにしてもよい。基板レール（左）１０と基板レール（右）１１の底部には保護板２１が取り付けられ、圧縮機４交換時等に水回路制御基板１９（図５参照）に圧縮機４が当たらないように保護する。端子台２０に冷媒回路制御基板１８や水回路制御基板１９（図５参照）の配線が集まり、外部と接続される。
【００１２】
図５の展開図に示すように、電気品箱本体７には、上から冷媒回路制御基板１８が取り付けられた冷媒回路制御基板ホルダー８が取り付けられ、さらにその上を蓋１２で塞がれる。冷媒回路制御基板１８のサービス（メンテナンス・保守）を行う場合は、先ず蓋１２を開けて電気品箱２の上から作業を行う。冷媒回路制御基板１８は、例えば、圧縮機４や送風機６の制御を行う。
【００１３】
電気品箱本体７の底部裏面には、基板レール（左）１０、基板レール（右）１１が、各々に設けられた溝が向き合うように取り付けられ、基板レール（左）１０、基板レール（右）１１に水回路制御基板１９が取り付けられた水回路制御基板ホルダー９が挿入される。水回路制御基板１９は、貯湯タンクの湯温に関する制御を行うもので、例えば、水循環ポンプ１５、冷媒回路１４の絞り１３の制御を行う。
【００１４】
図６、７に示すように、水回路制御基板ホルダー９は、基板レール（左）１０及び基板レール（右）１１に引出自在に取り付けられているので、自由に引出すことができる。従って、水回路制御基板１９のサービス時の作業性が良い。
【００１５】
上記のように、冷媒回路制御基板１８を電気品箱本体７に収納し、水回路制御基板１９を電気品箱本体７の下に取り付けるようにすれば、電気品箱本体７は既存の空調用室外ユニットのものを流用できる。
【００１６】
但し、水回路制御基板１９を電気品箱本体７内に収納し、冷媒回路制御基板１８を電気品箱本体７の下に取り付けるようにしてもよい。
【００１７】
以上のように、本実施の形態によれば、上側の基板は上からサービスし、下側の基板は引出してサービスするので、上下の基板を独立して交換等ができ基板のサービス性が良い。下側の基板は、前面または側面または背面から引出すことができる。
【図面の簡単な説明】
【００１８】
【図１】実施の形態１を示す図で、給湯機の室外ユニットの内部正面図である。
【図２】実施の形態１を示す図で、給湯機の室外ユニットの分解斜視図である。
【図３】実施の形態１を示す図で、冷媒及び水回路図である。
【図４】実施の形態１を示す図で、電気品箱の正面図である。
【図５】実施の形態１を示す図で、電気品箱の部品展開図である。
【図６】実施の形態１を示す図で、水回路制御基板ホルダーを引出した状態の電気品箱の斜視図である。
【図７】実施の形態１を示す図で、水回路制御基板ホルダーと基板レールを示す斜視図である。
【図８】実施の形態１を示す図で、フロン系冷媒と自然冷媒の特性を比較した図である。
【符号の説明】
【００１９】
１  給湯機の室外ユニット、２  電気品箱、３  ガスクーラ、４  圧縮機、５  蒸発器、６  送風機、７  電気品箱本体、８  冷媒回路制御基板ホルダー、９  水回路制御基板ホルダー、１０  基板レール（左）、１１  基板レール（右）、１２  蓋、１３  絞り、１４  冷媒回路、１５  水循環ポンプ、１６  水回路、１７  空気抜き回路、１８  冷媒回路制御基板、１９  水回路制御基板、２０  端子台、２１  保護板。
【図１】
2007093118.tif 000003
【図２】
2007093118.tif 000004
【図３】
2007093118.tif 000005
【図４】
2007093118.tif 000006
【図５】
2007093118.tif 000007
【図６】
2007093118.tif 000008
【図７】
2007093118.tif 000009
【図８】
2007093118.tif 000010